(57)【要約】【課題】作業工程が増加するのを抑制しながら、使用者が踵に違和感を覚えるのを抑制することが可能なシューズのアッパーを提供する。【解決手段】本発明のシューズのアッパー１は、使用者の踵の外周を覆う踵部１１を含むアッパー本体１０を備える。このアッパー本体１０の踵部１１は、使用者の踵の一方側部から後部を経て他方側部に渡る外周に沿う立体形状になるように編成された編み物により構成されている。【選択図】図２
2015223348.tif 000002
【特許請求の範囲】
【請求項１】
使用者の踵の外周を覆う踵部を含むアッパー本体を備え、
前記アッパー本体の踵部は、使用者の踵の一方側部から後部を経て他方側部に渡る外周に沿う立体形状になるように編成された編み物により構成されている、シューズのアッパー。
【請求項２】
前記アッパー本体の踵部に対応する位置に設けられ、使用者の踵を支持するカウンターをさらに備え、
前記アッパー本体の踵部は、前記カウンターの使用者の踵側に設けられた内側踵部と、前記カウンターの使用者の踵とは反対側に設けられた外側踵部とを有し、
前記内側踵部は、使用者の踵の外周に沿う立体形状になるように編成された編み物により構成されている、請求項１に記載のシューズのアッパー。
【請求項３】
前記外側踵部は、使用者の踵の外周に沿う立体形状になるように編成された編み物により構成されており、
前記カウンターは、前記内側踵部と前記外側踵部との間に収納されている、請求項２に記載のシューズのアッパー。
【請求項４】
前記内側踵部と前記外側踵部とは、立体形状になるように一体的に編成された編み物により構成されている、請求項２または３に記載のシューズのアッパー構造。
【請求項５】
前記内側踵部は、使用者の踵の下部からアーチ部に至る部位に対応する位置に延びるように構成されている、請求項２〜４のいずれか１項に記載のシューズのアッパー。
【請求項６】
前記カウンターは、ホットメルト接着剤により前記内側踵部および前記外側踵部のうち少なくともいずれか一方に溶着されている、請求項２〜５のいずれか１項に記載のシューズのアッパー。
【請求項７】
前記アッパー本体は、使用者の足先から足甲を経て踵に至る外周に沿う立体形状になるように、一体的に編成された編み物により構成されている、請求項１〜６のいずれか１項に記載のシューズのアッパー。
【請求項８】
請求項１〜７のいずれか１項に記載のシューズのアッパーと、前記シューズのアッパーが取り付けられたソールとを備える、シューズ。
【発明の詳細な説明】
【技術分野】
【０００１】
本発明は、シューズのアッパーおよびそれを備えるシューズに関し、特に、使用者の踵の外周を覆う踵部を含むアッパー本体を備えるシューズのアッパーおよびそれを備えるシューズに関する。
【背景技術】
【０００２】
従来、使用者の踵の外周を覆う踵部を含むアッパー本体を備えるシューズのアッパーが知られている（特許文献１）。具体的には、この特許文献１には、平坦面状に織り上げられ、一枚の単一織物からなる運動靴の甲被素材片（シューズのアッパー）が開示されている（特許文献１の段落
【０００３】
および図１など参照）。この甲被素材片の踵部は、平坦面状の織物が使用者の踵の外周を覆うような立体形状に折り曲げられた状態で、踵側縁部が縫い合わされることにより、立体的形状が維持されるように構成されている。
【先行技術文献】
【特許文献】
【０００４】
【特許文献１】特開平５−１７６８０４号公報
【発明の概要】
【発明が解決しようとする課題】
【０００５】
しかしながら、上記のような従来のシューズのアッパーでは、平坦面状の織物が曲面状に折り曲げられて立体的形状が維持されるため、アッパーの曲面形状部分に皺が生じやすい。特に、曲率が高く、かつ、複雑な曲面を有する踵部近傍においては、皺により織物の生地が折り重なることに起因して不規則な凸部が形成され、その結果、使用者の踵に凸部が接触する場合がある。このため、使用者が踵に違和感を覚える場合があるという問題点があった。
【０００６】
また、一般的に、アッパーに用いる平坦面状の織物のうち、踵に対応する所定部分に切り込みを入れ、当該切り込みを縫い合わせることにより、踵部に皺が生じないようにすることがある。この場合には、切り込みを縫い合わせる分、作業工程が増加するという問題点があった。
【０００７】
本発明は上記課題を解決するためになされたものであり、作業工程が増加するのを抑制しながら、使用者が踵に違和感を覚えるのを抑制することが可能なシューズのアッパーおよびそれを備えるシューズを提供することを目的とする。
【課題を解決するための手段】
【０００８】
１．上記課題を解決するために、本発明の一の局面によるシューズのアッパーは、使用者の踵の外周を覆う踵部を含むアッパー本体を備え、アッパー本体の踵部は、使用者の踵の一方側部から後部を経て他方側部に渡る外周に沿う立体形状になるように編成された編み物により構成されている。
【０００９】
この本発明のシューズのアッパーでは、上記のように、アッパー本体の踵部を、使用者の踵の一方側部から後部を経て他方側部に渡る外周に沿う立体形状になるように編成された編み物により構成することによって、平坦面状の織物が曲面状に折り曲げられて立体的形状に構成される場合と比べて、複雑な曲面を有する踵部近傍に対応した踵部を設けることができる。これにより、踵部に皺が生じるのを抑制することができるので、皺により織物の生地が折り重なることに起因して不規則な凸部が形成されるのを抑制することができる。これにより、使用者の踵に凸部が接触するのを抑制することができるので、使用者が踵に違和感を覚えるのを抑制することができる。また、踵に対応する所定部分に切り込みを入れ、当該切り込みを縫い合わせることにより、踵部に皺が生じないようにする必要もないので、作業工程が増加するのを抑制することもできる。その結果、作業工程が増加するのを抑制しながら、使用者が踵に違和感を覚えるのを抑制することができる。
【００１０】
２．また、上記本発明のシューズのアッパーにおいて、好ましくは、アッパー本体の踵部に対応する位置に設けられ、使用者の踵を支持するカウンターをさらに備え、アッパー本体の踵部は、カウンターの使用者の踵側に設けられた内側踵部と、カウンターの使用者の踵とは反対側に設けられた外側踵部とを有し、内側踵部は、使用者の踵の外周に沿う立体形状になるように編成された編み物により構成されている。このように構成すれば、カウンターの内側を覆う内側踵部に皺が生じるのを抑制することができるので、カウンターを踵部に設けた場合にも、使用者が踵に違和感を覚えるのを抑制することができる。
【００１１】
３．この場合において、好ましくは、外側踵部は、使用者の踵の外周に沿う立体形状になるように編成された編み物により構成されており、カウンターは、内側踵部と外側踵部との間に収納されている。このように構成すれば、内側踵部のみならず外側踵部に皺が生じるのも抑制することができるので、外観不良が発生するのを抑制することができ、これにより、生産効率を向上することができる。
【００１２】
４．また、上記カウンターを備え、アッパー本体の踵部が内側踵部と外側踵部とを有するシューズのアッパーにおいて、好ましくは、内側踵部と外側踵部とは、立体形状になるように一体的に編成された編み物により構成されている。このように構成すれば、内側踵部と外側踵部とが分離している場合と比べて、部品点数が増加するのを抑制することができる。
【００１３】
５．また、上記カウンターを備え、アッパー本体の踵部が内側踵部と外側踵部とを有するシューズのアッパーにおいて、好ましくは、内側踵部は、使用者の踵の下部からアーチ部に至る部位に対応する位置に延びるように構成されている。このように構成すれば、インソールをアッパー本体内部に配置した場合に、使用者の踵の下部からアーチ部に至る部位に対応する内側踵部をインソールで覆うことができるので、内側踵部をアッパー本体の内部に安定して固定することができる。
【００１４】
６．また、上記カウンターを備え、アッパー本体の踵部が内側踵部と外側踵部とを有するシューズのアッパーにおいて、好ましくは、カウンターは、ホットメルト接着剤により内側踵部および外側踵部のうち少なくともいずれか一方に溶着されている。このように構成すれば、内側踵部と外側踵部との間でカウンターを容易にアッパー本体に固定することができる。
【００１５】
７．また、上記本発明のシューズのアッパーにおいて、好ましくは、アッパー本体は、使用者の足先から足甲を経て踵に至る外周に沿う立体形状になるように、一体的に編成された編み物により構成されている。このように構成すれば、アッパー本体を、平面状の生地を折り曲げつつ、生地の端部を縫い合わせて立体的に成形する場合と比べて、アッパー本体の踵部以外で皺が生じるのを抑制することができるとともに、端部などの縫い合わせる工程を削減することができる。また、平面状の生地の裁断工程を削減することができるので、端切れが生じるのを抑制することができ、その結果、廃棄物を削減することができる。
【００１６】
８．また、本発明の別の局面によるシューズは、本発明のシューズのアッパーと、シューズのアッパーが取り付けられたソールとを備える。このように構成すれば、作業工程が増加するのを抑制しながら、使用者が踵に違和感を覚えるのを抑制することが可能なシューズを得ることができる。
【発明の効果】
【００１７】
本発明に係るシューズのアッパーによれば、複雑な曲面を有する踵部近傍に対応した踵部を設けることができるので、踵部に皺が生じるのを抑制することができる。これにより、皺により織物の生地が折り重なることに起因して不規則な凸部が形成されるのを抑制することができるので、使用者の踵に凸部が接触することに起因して、使用者が踵に違和感を覚えるのを抑制することができる。また、踵に対応する所定部分に切り込みを入れ、当該切り込みを縫い合わせることにより、踵部に皺が生じないようにする必要もないので、作業工程が増加するのを抑制することもできる。その結果、作業工程が増加するのを抑制しながら、使用者が踵に違和感を覚えるのを抑制することができる。
【図面の簡単な説明】
【００１８】
【図１】本発明の一実施形態によるシューズのアッパーを備えるシューズを示した斜視図である。
【図２】本発明の一実施形態によるシューズのアッパーを示した斜視図である。
【図３】本発明の一実施形態によるシューズのアッパーのカウンターを示した斜視図である。
【図４】本発明の一実施形態によるシューズのアッパーのアッパー本体を示した斜視図である。
【図５】本発明の一実施形態によるシューズのアッパーを示した正面図である。
【図６】本発明の一実施形態によるシューズのアッパーを示した平面図である。
【図７】本発明の一実施形態によるシューズのアッパーを示した側面図である。
【図８】本発明の一実施形態によるシューズのアッパーの踵部の構造を説明するための断面図である。
【図９】本発明の一実施形態によるシューズのアッパーの内側踵部が開いた状態の構造を示した斜視図である。
【図１０】本発明の一実施形態によるシューズのアッパーの内側踵部が開いた状態の構造を示した側面図である。
【図１１】本発明の一実施形態によるシューズのアッパーの内側踵部が開いた状態の構造を示した正面図である。
【図１２】本発明の一実施形態によるシューズのアッパーの内側踵部が開いた状態の構造を示した平面図である。
【図１３】本発明の一実施形態によるシューズのアッパーの内側踵部が開いた状態の構造を示した後方斜視図である。
【図１４】本発明の一実施形態によるシューズのアッパーの内側踵部を閉じている途中の状態の構造を示した後方斜視図である。
【発明を実施するための形態】
【００１９】
図１〜１４を参照して、本発明の一実施形態によるシューズのアッパー１を備えるシューズ１００の構造を説明する。
【００２０】
図１に示すように、シューズ１００は、シューズのアッパー１と、シューズのアッパー１が取り付けられたソール２とを備えている。本実施形態によるシューズ１００は、ランニングなどに適したスポーツシューズである。ソール２は、軟質弾性部材から構成されている。たとえば、ソール２は、エチレン−酢酸ビニル共重合体（ＥＶＡ）等の熱可塑性樹脂やその発泡体、ポリウレタン（ＰＵ）等の熱硬化性樹脂やその発泡体、または、ブタジエンラバーやクロロプレンラバー等のラバー素材やその発泡体から構成されている。
【００２１】
シューズのアッパー１は、図２に示すように、使用者の踵の外周を覆う踵部１１を含むアッパー本体１０と、アッパー本体１０の踵部１１に対応する位置に設けられ、使用者の踵を支持するカウンター２０とを備えている。
【００２２】
アッパー本体１０は、合成繊維からなる撚糸により編成された編み物により構成されている。合成繊維からなる撚糸は、たとえば、ポリプロピレン、ポリエチレン、ポリエチレンビニルアルコール、塩化ビニル、ポリ乳酸、ナイロン、ポリエステル、および、ポリウレタンなどのうち、少なくともいずれか１つ以上からなる。なお、アッパー本体１０の編み物は、上記合成繊維のみならず、綿、羊毛、および、麻などの天然繊維からなる撚糸により編成されていてもよいし、上記合成繊維および天然繊維が混合された撚糸により編成されていてもよい。
【００２３】
また、アッパー本体１０は、上述した踵部１１と、使用者の中足の両側を覆う側部１２と、使用者の前足部を覆う爪先部１３と、使用者の中足の上面を覆う舌部１４とを含んでいる。これら踵部１１、側部１２、爪先部１３および舌部１４は、上記撚糸を用いた平編または丸編により一体的に編成されている。また、踵部１１、側部１２、爪先部１３および舌部１４は、それぞれ、使用者の足の形状に対応するように、立体的に編成されている。つまり、アッパー本体１０は、使用者の足先から足甲を経て踵に至る外周に沿う立体形状になるように、一体的に編成された編み物により構成されている。
【００２４】
また、カウンター２０は、図２および図３に示すように、たとえば、熱可塑性ポリウレタン（ＴＰＵ）、ポリアミドエラストマー（ＰＡＥ）、または、ＡＢＳ樹脂などの熱可塑性樹脂からなり、使用者の踵の外周に沿うように形成された立体曲面プレート形状を有する。
【００２５】
アッパー本体１０の踵部１１は、図４〜図６に示すように、使用者の踵の一方側である外踝側（矢印Ｘ１方向側）部から後（矢印Ｙ２方向側）部を経て他方側である内踝側（矢印Ｘ２方向側）部に渡る外周に沿う立体形状になるように編成された編み物により構成されている。なお、図４のアッパー本体１０は、右足用のアッパーである。また、踵部１１は、図２、図６〜図8に示すように、カウンター２０の使用者の踵側に設けられた内側踵部１１０と、カウンター２０の使用者の踵とは反対側に設けられた外側踵部１１１とを有している。なお、カウンター２０の使用者の踵側とは、アッパー本体１０の内部（足入れ）側のことであり、カウンター２０の使用者の踵とは反対側とは、アッパー本体の外部に露出している側のことである。つまり、踵部１１は、内側踵部１１０および外側踵部１１１からなる二重構造となっている。そして、カウンター２０は、内側踵部１１０と外側踵部１１１との間に収納されている。また、本実施形態では、カウンター２０は、ホットメルト接着剤により内側踵部１１０および外側踵部１１１の両方に溶着されてアッパー本体１０に固定されている。
【００２６】
ここで、本実施形態では、踵部１１の内側踵部１１０は、使用者の踵の外周に沿う立体形状になるように編成された編み物により構成されている。また、踵部１１の外側踵部１１１は、使用者の踵の外周に沿う立体形状になるように編成された編み物により構成されている。そして、踵部１１は、内側踵部１１０が外側踵部１１１の内部側（使用者の踵側）に折り込まれることにより構成されている。また、内側踵部１１０と外側踵部１１１とは、図９〜図１２に示すように、立体形状になるように一体的に編成された編み物により構成されている。具体的には、踵部１１の内側踵部１１０および外側踵部１１１は、それぞれ、天竺編みにより編成されている。この天竺編みは、編成時の撚糸のテンションを変化させることにより、踵部１１が立体的形状に構成されるように編成される。
【００２７】
内側踵部１１０は、図９に示すように、内側踵部１１０の外踝側（矢印Ｘ１方向側）の一方側部１１０ａと、内踝側（矢印Ｘ２方向側）の他方側部１１０ｂと、内側踵部１１０の後（矢印Ｙ１方向）側の後部１１０ｃと、一方側部１１０ａ、他方側部１１０ｂおよび後部１１０ｃの外側踵部１１１とは反対側（矢印Ｚ１方向側）で接続された平面部１１０ｄとにより構成されている。また、外側踵部１１１は、外側踵部１１１の外踝側（矢印Ｘ１方向側）の一方側部１１１ａと、内踝側（矢印Ｘ２方向側）の他方側部１１１ｂ（図６参照）と、外側踵部１１１の後（矢印Ｙ１方向）側の後部１１１ｃと、一方側部１１１ａ、他方側部１１１ｂおよび後部１１１ｃの内側踵部１１０とは反対側（矢印Ｚ２方向側）で接続された平面部１１１ｄとにより構成されている。
【００２８】
また、内側踵部１１０は、外部踵部１１１の内部側に折り込まれていない状態で、一方側部１１０ａ、他方側部１１０ｂ、後部１１０ｃおよび平面部１１０ｄにより使用者の踵の外周に沿う立体形状になるように編成され、爪先部１３側に開口を有するフード状の形状をなしている。そして、図１３および図１４に示すように、内側踵部１１０の一方側部１１０ａ、他方側部１１０ｂ、後部１１０ｃおよび平面部１１０ｄは、それぞれ、後述する境界部１１２を介して、外側踵部１１１の一方側部１１１ａ、他方側部１１１ｂ、後部１１１ｃおよび平面部１１１ｄから一体かつ連続的に延設されており、内側踵部１１０は、境界部１１２を境として、外側踵部１１１に対向するように折り込むことが可能なように構成されている。
【００２９】
内側踵部１１０が外側踵部１１１に対向するように折り込まれた場合には、図２および図７に示すように、内側踵部１１０の平面部１１０ｄは、外側踵部１１１の平面部１１１ｄと対向する位置に配置される。また、平面部１１０ｄは、図６および図７に示すように、使用者の踵の下部からアーチ部に至る部位に対応する位置に延びるように配置されている。また、内側踵部１１０の一方側部１１０ａおよび他方側部１１０ｂは、それぞれ、外側踵部１１１の一方側部１１１ａおよび他方側部１１１ｂと対向する位置に配置される。また、内側踵部１１０の後部１１０ｃは、外側踵部１１１の後部１１１ｃと対向する位置に配置される。
【００３０】
カウンター２０は、図２、図６および図７に示すように、その一方側部２０ａが一方側部１１０ａと一方側部１１１ａとの間に配置され、他方側部２０ｂが他方側部１１０ｂと他方側部１１１ｂとの間に配置され、後部２０ｃが後部１１０ｃと後部１１１ｃとの間に配置される。また、カウンター２０は、図２および図３に示すように、一方側部２０ａ、他方側部２０ｂおよび後部２０ｃの下端側が平面部１１０ｄおよび平面部１１１ｄと対応する領域にまで延びるように湾曲している。つまり、カウンター２０は、踵部１１と同様に、使用者の踵の外周に沿う立体形状になるように形成されている。
【００３１】
また、図９に示すように、内側踵部１１０の下端と外側踵部１１１の上端との間には、境界部１１２が設けられている。境界部１１２は、内側踵部１１０および外側踵部１１１と一体的に編成されている。また、境界部１１２は、内側踵部１１０を外側踵部１１１に対向するように折り込むために、内側踵部１１０および外側踵部１１１よりも屈曲しやすい編み方で編成されている。具体的には、境界部１１２は、リブ編みにより編成されている。すなわち、境界部１１２は、天竺編みにより編成されている内側踵部１１０および外側踵部１１１と比べて伸縮しやすい編成で構成されている。そして、内側踵部１１０、境界部１１２および外側踵部１１１は、天竺編みからリブ編み、リブ編みから天竺編みと編み方を随時変えながら一体的かつ連続的に編成されている。また、境界部１１２は、アッパー本体１０の履き口に対応する位置に設けられており、伸縮しやすい構成にすることにより、使用者の足入れが容易になる。
【００３２】
次に、図２、図１３および図１４を参照して、内側踵部１１０を外側踵部１１１の内側に折り込む際の動作について説明する。
【００３３】
まず、図１３に示すように、アッパー本体１０の外側踵部１１１の内側に、カウンター２０を配置する。なお、この場合において、外側踵部１１１とカウンター２０との間に、予めホットメルト接着剤を挿入していることが好ましい。そして、図１４に示すように、内側踵部１１０の平面部１１０ｄを下方（矢印Ｚ２方向）に押し込むことにより、内側踵部１１０は、上方（矢印Ｚ１方向）に凸になっている状態（図１３の状態）から下方に凸になる状態（図１４の状態）に変形可能である。そして、平面部１１０ｄをさらに下方に押し込むことにより、一方側部１１０ａ、他方側部１１０ｂおよび後部１１０ｃは、境界部１１２を境界として折り返される。これにより、図２に示すように、一方側部１１０ａおよび他方側部１１０ｂは、それぞれ、カウンター２０の一方側部２０ａおよび他方側部２０ｂを挟み込んだ状態で、一方側部１１１ａおよび他方側部１１１ｂと対向するように配置される。また、後部１１０ｃは、カウンター２０の後部２０ｃを挟み込んだ状態で、後部１１１ｃと対向するように配置される。
【００３４】
また、内側踵部１１０の平面部１１０ｄは、下方に押し込まれたまま、外側踵部１１１の平面部１１１ｄと対向するように配置される。なお、この場合において、外側踵部１１１の平面部１１１ｄの上面に衝撃を吸収する緩衝材（図示せず）を予め配置してもよい。以上のような内側踵部１１０の折込動作を行うことにより、内側踵部１１０は、図２に示すように、その立体形状の曲面部分が折り返された状態で、外側踵部１１１の立体形状に沿うように収納配置される。この場合において、内側踵部１１０は、外側踵部１１１の曲面部分に対応する部分で立体形状の曲面部分を有しているので、外側踵部１１１の曲面部分に対応する内側踵部１１０に皺が発生するのを抑制することが可能である。
【００３５】
本実施形態では、上記のように、アッパー本体１０の踵部１１を、使用者の踵の一方（矢印Ｘ１方向側）側部から後（矢印Ｙ２方向側）部を経て他方（矢印Ｘ２方向側）側部に渡る外周に沿う立体形状になるように編成された編み物により構成することによって、平坦面状の織物が曲面状に折り曲げられて立体的形状に構成される場合と比べて、複雑な曲面を有する踵部近傍に対応した踵部１１を設けることができる。これにより、踵部１１に皺が生じるのを抑制することができるので、皺により織物の生地が折り重なることに起因して不規則な凸部が形成されるのを抑制することができる。これにより、使用者の踵に凸部が接触するのを抑制することができるので、使用者が踵に違和感を覚えるのを抑制することができる。また、踵に対応する所定部分に切り込みを入れ、当該切り込みを縫い合わせることにより、踵部に皺が生じないようにする必要もないので、作業工程が増加するのを抑制することもできる。その結果、作業工程が増加するのを抑制しながら、使用者が踵に違和感を覚えるのを抑制することができる。
【００３６】
また、本実施形態では、上記のように、カウンター２０の使用者の踵側に設けられた内側踵部１１０と、カウンター２０の使用者の踵とは反対側に設けられた外側踵部１１１とを設け、内側踵部１１０を、使用者の踵の外周に沿う立体形状になるように編成された編み物により構成することによって、カウンター２０の内側を覆う内側踵部１１０に皺が生じるのを抑制することができるので、カウンター２０を踵部１１に設けた場合にも、使用者が踵に違和感を覚えるのを抑制することができる。
【００３７】
また、本実施形態では、上記のように、外側踵部１１１を、使用者の踵の外周に沿う立体形状になるように編成された編み物により構成するとともに、カウンター２０を、内側踵部１１０と外側踵部１１１との間に収納することによって、内側踵部１１０のみならず外側踵部１１１に皺が生じるのも抑制することができるので、外観不良が発生するのを抑制することができ、これにより、生産効率を向上することができる。
【００３８】
また、本実施形態では、上記のように、内側踵部１１０を、使用者の踵の下部からアーチ部に至る部位に対応する位置に延びるように構成することによって、インソール（図示せず）をアッパー本体１０内部に配置した場合に、使用者の踵の下部からアーチ部に至る部位に対応する内側踵部１１０をインソール（図示せず）で覆うことができるので、内側踵部１１０をアッパー本体１０の内部に安定して固定することができる。
【００３９】
また、本実施形態では、上記のように、アッパー本体１０を、使用者の足先から足甲を経て踵に至る外周に沿う立体形状になるように、一体的に編成された編み物により構成することによって、アッパー本体１０を、平面状の生地を折り曲げつつ、生地の端部を縫い合わせて立体的に成形する場合と比べて、アッパー本体１０の踵部１１以外で皺が生じるのを抑制することができるとともに、端部などの縫い合わせる工程を削減することができる。また、平面状の生地の裁断工程を削減することができるので、端切れが生じるのを抑制することができ、その結果、廃棄物を削減することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、アッパー本体を、使用者の足先から足甲を経て踵に至る外周に沿う立体形状になるように、一体的に編成された編み物により構成した例について示したが、本発明はこれに限らない。本発明では、少なくとも踵部が、使用者の踵の一方側部から後部を経て他方側部に渡る外周に沿う立体形状になるように編成された編み物により構成されていればよい。
【００４２】
また、上記実施形態では、内側踵部と外側踵部とによりアッパー本体の踵部を構成し、内側踵部と外側踵部との間にカウンターを設けた例を示したが、本発明はこれに限らない。本発明では、たとえば、カウンターを踵部に設けなくてもよいし、この場合には、踵部を内側踵部と外側踵部との二重構造にしなくてもよい。また、踵部の外面側（踵部の使用者の踵とは反対側）にカウンターを設けてもよい。
【００４３】
また、上記実施形態では、外側踵部の平面部の上面に衝撃を吸収する緩衝材を配置し、緩衝材の上方から内側踵部の平面部で覆う例について説明したが、本発明はこれに限らない。本発明では、たとえば、緩衝材を外側踵部の平面部の上面に緩衝材を設けなくてもよいし、外側踵部の平面部の下面に緩衝材を設けてもよい。また、緩衝材を内側踵部の平面部の上面に配置し、インソールにより緩衝材を覆うようにしてもよい。
【００４４】
また、上記実施形態では、カウンターを、ホットメルト接着剤により内側踵部および外側踵部のいずれか一方に溶着させる例を示したが、本発明はこれに限らない。本発明では、たとえば、カウンターを溶剤接着剤または水溶性接着剤により内側踵部および外側踵部の少なくともいずれか一方に溶着させてもよいし、カウンターと踵部とを接着させなくてもよい。
【００４５】
また、上記実施形態では、踵部の内側踵部および外側踵部を横編の天竺編みにより編成し、境界部をリブ編みにより編成した例を示したが、本発明はこれに限らない。本発明では、踵部の内側踵部および外側踵部を、たとえば、リブ編み、両面編み、パール編み、メッシュ編みなど、天竺編み以外の編成で構成してもよいし、これら編成の組み合わせで構成してもよい。また、本発明では、境界部を、たとえば、天竺編み、両面編み、パール編み、メッシュ編みなど、リブ編み以外の編成で構成してもよいし、これら編成の組み合わせで構成してもよい。また、アッパー本体が丸編により編成されている場合には、踵部の内側踵部および外側踵部を丸編の編成で構成してもよいし、境界部も丸編の編成で構成してもよい。
【００４６】
また、上記実施形態では、本発明のシューズのアッパーを備えるシューズを、スポーツ用シューズに適用した例について示したが、本発明はこれに限らない。たとえば、本発明のシューズのアッパーを備えるシューズを、スポーツ以外で用いるウォーキングシューズやビジネスシューズ、または、ルームシューズなどに適用してもよい。
【符号の説明】
【００４７】
１  シューズのアッパー
２  ソール
１０  アッパー本体
１１  踵部
２０  カウンター
１００  シューズ
１１０  内側踵部
１１１  外側踵部
【図１】
2015223348.tif 000003
【図２】
2015223348.tif 000004
【図３】
2015223348.tif 000005
【図４】
2015223348.tif 000006
【図５】
2015223348.tif 000007
【図６】
2015223348.tif 000008
【図７】
2015223348.tif 000009
【図８】
2015223348.tif 000010
【図９】
2015223348.tif 000011
【図１０】
2015223348.tif 000012
【図１１】
2015223348.tif 000013
【図１２】
2015223348.tif 000014
【図１３】
2015223348.tif 000015
【図１４】
2015223348.tif 000016